(57)【要約】【課題】  載せる物品、取り出す物品の多少に応じて、物品を載せる位置、物品を取り出す位置が自動的に変化して略一定になるようにする。【解決手段】  複数本の支柱と、それら支柱の外周に配置されたスプリングと、支柱の外周に配置してスプリングの上に載せた支持体と、前記支持体の上に載せる受体を備えた昇降式載置台である。支持体は支柱を挿通可能な貫通孔を備えた基板の表裏両面又は片面に保持具を備え、当該保持具は基板の前記貫通孔の周囲に二以上取付けられ、夫々の保持具はネジ軸の先にボールを備え、前記ネジ軸は回転により前進し、逆回転により後退し、前記ボールはネジ軸の前進により支持体の基板の貫通孔に挿入された支柱の外周面に回転可能に接触して前記基板を水平又はほぼ水平に支柱に保持される。前記受体は物品を載せることができる。【選択図】図１
2017086131.tif 000002
【特許請求の範囲】
【請求項１】
各種物品を載置可能な昇降式載置台において、
複数本の支柱と、それら支柱の外周に配置されたスプリングと、支柱の外周に配置してスプリングの上に載せた支持体と、前記支持体の上に載せる受体を備え、
前記支持体は支柱を挿通可能な貫通孔を備えた基板の表裏両面又は片面に保持具を備え、当該保持具は基板の前記貫通孔の周囲に二以上取付けられ、夫々の保持具はネジ軸の先にボールを備え、前記ネジ軸は回転により前進し、逆回転により後退し、前記ボールはネジ軸の前進により前記支持体の基板の貫通孔に挿入された支柱の外周面に回転可能に接触して前記基板を水平又はほぼ水平に支柱に保持することができ、ネジ軸の後退により支柱から離れ、前記受体は物品を載せることができ、
前記スプリングは前記受体に載せた物品の荷重が所定の重さ以上になると前記支持体を介して圧縮され、当該荷重が解除されると前記圧縮が解放されて復元し、
前記支持体及び受体はスプリングの前記圧縮分だけ支柱に沿って降下し、受体から物品を降ろして当該荷重が解除されると前記スプリングの復元により降下前の位置まで上昇できるようにした、
ことを特徴とする昇降式載置台。
【請求項２】
請求項１記載の昇降式載置台において、
支柱がベースに立設されたものである、
ことを特徴とする昇降式載置台。
【請求項３】
請求項１又は請求項２記載の昇降式載置台において、
支柱の下に移動輪を備えた、
ことを特徴とする昇降式載置台。
【請求項４】
請求項１から請求項３のいずれか１項に記載の昇降式載置台において、
受体が平板状又は底板の外周に周縁を備えた容器であり、底面に支柱を挿入可能な挿入孔が開口されたものである、
ことを特徴とする昇降式載置台。
【請求項５】
請求項１から請求項４のいずれか１項に記載の昇降式載置台において、
受体の上に容器を配置した、
ことを特徴とする昇降式載置台。
【請求項６】
昇降式載置台の支柱の外周に配置されたスプリングの上に配置する支持体において、
支柱を挿通可能な貫通孔を備えた基板の表裏両面又は片面に保持具を備え、
保持具は基板の前記貫通孔の周囲に二以上取付けられ、
夫々の保持具はネジ軸の先にボールを備え、前記ネジ軸は回転により前進し、逆回転により後退し、前記ボールはネジ軸の前進により前記受体の貫通孔に挿入された支柱の外周面に回転可能に接触して前記基板を水平又はほぼ水平に支柱に保持することができ、ネジ軸の後退により支柱から離れるようにした、
ことを特徴とする支持体。
【請求項７】
請求項６記載の支持体において、
基板が二枚以上の分割板をリング状に配置して、それら分割板の内側に貫通孔を備えたものであり、隣接する分割板に跨がせて保持具を取り付けることにより、分割板を一枚に連結した、
ことを特徴とする支持体。
【請求項８】
請求項６記載の支持体において、
基板が中心部に貫通孔を備えた板状である、
ことを特徴とする支持体。
【発明の詳細な説明】
【技術分野】
【０００１】
本発明は量産されるスプリング、機械部品とか、組み立てに使用される機械部品、電気部品、食器等をはじめとする各種物品を載せることのできる載置台に関し、特に、載せる物品の重さにより自動的に昇降する昇降式載置台とそれに使用される支持体に関する。
【背景技術】
【０００２】
スプリングや機械部品等を加工する工場では、加工された部品を移動式の載置台に載せている。機械部品や電気部品の組み立て工場では、組み立てに使用する部品を移動式の載置台に載せておき、その部品を取り出して組み立てに使用している。
【０００３】
食堂やレストランでは、空の食器や料理を盛り付けた食器を載せる載置台（食器ディスペンサー）が提案されている（特許文献１、２）。多数の食器を積み重ねた状態で収納し、取出位置にある食器を取り去っても常に最上部の食器が取出位置に位置するように上昇するように構成されている。
【先行技術文献】
【特許文献】
【０００４】
【特許文献１】特許第３２７８１４１号公報
【特許文献２】特許第３２７８１４２号公報
【発明の概要】
【発明が解決しようとする課題】
【０００５】
従来の食器ディスペンサーは食器に特化したものであり、同一形状の食器を重ねる方式であるため、形状は同一であっても、重ねにくい形状の機械部品や電気部品など（物品）を載せることはできない。また、多数の物品を重ねずに平面に並べるのにも不向きである。
【０００６】
本発明の解決課題は、多数の物品を横に並べることができ、載せる物品、取り出す物品の多少に拘わらず、物品を載せる位置、物品を取り出す位置が自動的に変化する昇降式載置台とそれに使用される支持体を提供する。
【課題を解決するための手段】
【０００７】
本発明の昇降式載置台は、物品を並べて載置可能な昇降式の載置台であって、複数本の支柱と、それら支柱の外周に配置されたスプリングと、支柱の外周に配置してスプリングの上に載せた支持体と、前記支持体の上に載せる受体を備え、前記支持体は支柱を挿通可能な貫通孔を備えた基板の表裏両面又は片面に保持具を備え、保持具は基板の前記貫通孔の周囲に二以上取付けられ、夫々の保持具はネジ軸の先にボールを備え、前記ネジ軸は回転により前進し、逆回転により後退し、前記ボールはネジ軸の前進により前記支持体の基板の貫通孔に挿入された支柱の外周面に回転可能に接触して前記基板を水平又はほぼ水平に支柱に保持することができ、ネジ軸の後退により支柱から離れ、前記受体は物品を載せることができ、前記スプリングは前記受体に載せた物品の荷重が所定の重さ以上になると前記支持体を介して圧縮され、当該荷重が解除されると前記圧縮が解放されて復元し、前記支持体及び受体はスプリングの前記圧縮分だけ支柱に沿って降下し、受体から物品を降ろして当該荷重が解除されると前記スプリングの復元により降下前の位置まで上昇できるようにしたものである。
【０００８】
本発明の昇降式載置台は、支柱がベースに立設されたものであってもよい。支柱の下に移動輪（キャスターを含む）を備えものであってもよい。受体は平板状又は底板の外周に周縁を備えた容器であってもよい。受体の上に容器を配置したものであってもよい。
【０００９】
本発明の支持体は、昇降式載置台の支柱の外周に配置されたスプリングの上に配置する支持体であり、支柱を挿通可能な貫通孔を備えた基板の表裏両面又は片面に保持具を備え、保持具は基板の前記貫通孔の周囲に二以上取付けられ、夫々の保持具はネジ軸の先にボールを備え、前記ネジ軸は回転により前進し、逆回転により後退し、前記ボールはネジ軸の前進により前記受体の貫通孔に挿入された支柱の外周面に回転可能に接触して前記基板を水平又はほぼ水平に支柱に保持することができ、ネジ軸の後退により支柱から離れるようにしたものである。基板が二枚以上の分割板をリング状に配置して、それら分割板の内側に貫通孔を備えたものであり、隣接する分割板に跨がせて保持具を取り付けることにより、分割板を一枚に連結したものであってもよい。基板が中心部に貫通孔を備えた板状であってもよい。
【発明の効果】
【００１０】
本発明の昇降式載置台は、次の効果を奏する。
（１）受体に各種形状、サイズの物品を載せて、それら物品の荷重が所定の重さになると受体が自動的に所定の高さ分だけ降下し、物品を降ろすと受体が自動的に元の高さに戻るので、常時一定の高載置で物品を載せ降ろしすることができ、載せ降ろし作業がし易くなる。
（２）下の受体の上に他の受体を順次重ねるだけで、多段の載置台のように使用することができ、受体が降下する度に載置台を交換する必要がないため、一台の載置台で多数の物品の載せ降ろしができる。
（３）基板に設けた二以上の保持具のボールを支柱の外周面に当接させて、基板を支柱に対して水平又は略水平に保持できるようにしてあるため、受体が支柱に沿ってスムースに昇降できる。
（４）保持具のネジ軸を前進、後退させることができるため、支柱の径に合わせてボールを支柱に接触させることができる。
【００１１】
本発明の支持体は、次の効果を奏する。
（１）保持具が、前進・後退可能なネジ軸の先にボールを備えたものであるため支柱に水平又はほぼ水平に保持することができ、支柱に沿っての昇降がスムースにできる。
（２）保持具が、前進・後退可能なネジ軸の先にボールを備えたものであり、貫通孔を支柱の外径よりも大きくしてあるため、支柱が多少太いものでも細いものでも貫通孔に貫通できれば、その支柱の外周面にボールを当接させて、支持具を支柱に対して水平又はほぼ水平に保持することができる。
【図面の簡単な説明】
【００１２】
【図１】本発明の昇降式載置台の一例を示す斜視図。
【図２】図１に示す昇降式載置台の分解説明図。
【図３】（ａ）は本発明の昇降式載置台における支持体の一例を示す斜視図、（ｂ）は（ａ）の平面図。
【図４】（ａ）〜（ｃ）は支持体のボール突出長の異なる例を示す平面図。
【図５】容器を二段重ねにした場合の説明図。
【発明を実施するための形態】
【００１３】
（実施形態）
本発明の昇降式載置台１の一例を、図面を参照して説明する。本発明の昇降式載置台１は、各種物品を載置可能な昇降式の載置台である。一例として、図１及び図２に示す昇降式載置台１は、ベース２と、複数本の支柱３と、スプリング４と、支持体５と、受体６を備えたものである。この昇降式載置台１は、例えば、図１に示すように、受体６の上に物品を収容するための容器１２を載せて使用することができる。
【００１４】
本発明の昇降式載置台１の一例を図１〜図５に基づいて説明する。この昇降式載置台１は、図１に示すようにベース２の上に四本の支柱３があり、それら支柱３の外周にスプリング４があり、スプリング４の上に支持体５があり、支持体５の上に受体６が載っている。受体６はベース２の上に立設された三本の保持柱７で位置決めされている。支柱３、保持柱７の本数、取り付け位置はベース２や支持体５のサイズに合わせて任意に設計することができる。
【００１５】
［ベース］
ベース２は中心に方形の開口部８を備えた長方形の平板であり、ベース２の裏面の四隅に一つずつキャスター９が設けられている。このベース２は鋼材製であるが、他の材料、例えば、ステンレスや木材などで作ることもできる。キャスター９には既存のものを用いることができ、その設置位置や設置数もベース２の形状や大きさに応じて調節することができる。
【００１６】
［支柱］
前記四本の支柱３はベース２の一方の側板２ａに二本、他方の側板２ｂに二本立設されている。これら支柱３は丸パイプである。支柱３はベース２に固定されている支柱支持具１０に差し込んでベース２に対して直角又は略直角に立設されている。
【００１７】
［保持柱］
前記三本の保持柱７はベース２の前方板２ｃに１本、ベース２の後方板２ｄに二本立設されている。これら保持柱７も丸パイプである。保持柱７はベース２に固定された保持柱支持具１１に差し込んでベース２に対して直角又は略直角に立設されている。
【００１８】
［スプリング］
前記四本の支柱３のそれぞれの外周には、当該支柱３よりも短いスプリング４を被せてある。スプリング４には既存の金属製コイルスプリングを用いることができる。四本のスプリング４には伸縮力が同じものを用いてある。スプリング４には受体６に載せる物品の重さによって伸縮するものを選択使用することができる。スプリング４の代わりに他の弾性体、例えば蛇腹式の弾性体や他の形式の伸縮材を用いることもできる。
【００１９】
前記スプリング４は前記受体６に載せた物品Ａの荷重が所定の重さ以上になると前記支持体５を介して圧縮され、受体６に載せた物品Ａを取り出して物品の荷重が解除されると前記圧縮が解放されて元の長さに復元する伸縮力を備えている。前記支持体５及び受体６はスプリング４の前記圧縮分だけ支柱３に沿って降下し、受体６から物品Ａを降ろして当該荷重が解除されると前記スプリング４の復元により降下前の位置まで上昇するようにしてある。
【００２０】
［支持体］
前記四本の支柱３に被せスプリング４の上には支持体５が配置されている。支持体５は図２、図３（ａ）（ｂ）に示すように、支柱３を挿通可能な貫通孔１２を備えた基板１３の表裏両面に保持具１４が三個ずつ取り付けられている。それぞれの保持具１４はケース１５のネジ孔１６にねじ込まれたネジ軸１７の先にボール１８を備えたボールベアリングである。これら保持具１４のネジ軸１７は正回転により貫通孔１２側に前進し、逆回転により前進時と逆方向に後退するようにしてある。それぞれの保持具１４はボール１８の先端側が貫通孔１２の中心に向けて当該貫通孔１２の周囲に配置固定することにより、前記ネジ軸１７を前進させると前記ボール１８が基板１３の貫通孔１２に挿入された支柱３の外周面に回転可能に接触して前記基板１３を水平又はほぼ水平に支柱３に保持することができ、ネジ軸１７の後退により支柱３から離れるようにしてある。要は、図４（ａ）〜（ｃ）に示すように、ネジ軸１７の内側への突出長を調節できるようにしてある。ボールベアリングには、例えば、株式会社井口機工製作所のボールベアー（ボールトランスファー）を用いることができる。
【００２１】
図３（ａ）（ｂ）に示す基板１３は板材（図３（ａ）（ｂ）では円板）を三等分した分割板１３ａ、１３ｂ、１３ｃを円形に配置し、隣り合う二つの分割板１３ａと１３ｂ、１３ｂと１３ｃ、１３ｃと１３ａに三つの保持具１４のそれぞれのケース１５を跨がせて溶接することにより、三枚の分割板１３ａ、１３ｂ、１３ｃを円形に連結し、それら分割板１３ａ、１３ｂ、１３ｃの内側に貫通孔１２を形成してある。貫通孔１２の内径は支柱３の外径より大きくして、貫通孔１２を支柱３の上端部３ａ（図２）に被せることができるようにしてある。貫通孔１２の内径を支柱３の外径より大きくしても、前記ネジ軸１７の回転操作により基板１３の表裏両面の保持具１４のボール１８を支柱３の上端部３ａに片面三点接触（表裏両面六点接触）させることにより、保持具１４を支柱３に対して水平に保持することができるようにしてある。分割板１３ａ、１３ｂ、１３ｃは円板を三等分したものに限らず、基板１３の内側に貫通孔１２が形成されれば角板を二等分以上に分割したものであってもよい。
【００２２】
基板１３は円板を三等分したものではなく、一枚の円板の中央部に貫通孔１２が開口されたものであってもよい。この場合は、貫通孔１２の内径を支柱３の外径よりも大きめにして貫通孔１２に支柱３を挿入し易くしておく。このように貫通孔１２の内径を支柱３の外径よりも大きめにしても、保持具１４のボール１８を支柱３の外周面に接触させて、支持体５を支柱３に対して水平又はほぼ水平に保持することができる。基板１３が一枚の円板の場合は、保持具１４取り付け位置を表裏面でずらすこともできる。ずらすことで、基板１３の表裏面の六方向から支柱を支持することができるので支持の安定性が高くなる。
【００２３】
［受体］
図１に示した受体６は平板であり、底面１９の周縁部に側壁２０が立設された容器（トレー）２１を載せることができるようにしてある。受体６は平板ではなく底面１９の周縁部に側壁２０が立設された容器（トレー）２１であってもよい。この場合は、容器２１の底面１９に支柱３を挿入可能な挿入孔を開口する。
【００２４】
図１及び図２に示す受体６はベース２と同程度の大きさの長方形の平板であり、四隅に支柱３を挿通させるための挿通孔６ａが開口されている。挿通孔６ａは支持体５の基板１３の直径よりも小径としてあり、四本の支柱３を挿通孔６ａに挿通させたときに、受体６が支持体５の上に係止される（載る）ようにしてある。受体６もベース２と同様にステンレス、金属、木材等その材質は問わない。また、その形状や大きさも適宜設計することができる。
【００２５】
（作用）
図１に示す容器２１に物品Ａを載せると、当該物品の重さによってスプリング４が収縮して受体６が降下し、容器２１も降下する。降下した容器２１の上には他の容器を重ねることができる。容器２１に載せてある物品Ａを降ろして容器２１の荷重が軽くなるとスプリング４が伸長（復元）して受体６が上昇する。この場合、一つの容器２１に物品Ａを所定数載せるとその容器２１が一枚分降下し、一つの容器２１に所定数載せた物品Ａを取り出すとその容器２１が一枚分上昇するように、スプリングの強度を設計することができる。この強度に設計することにより、一枚分降下した容器２１の上に次の容器２１を載せることができ、物品Ａを取り出して一枚分上昇した空の容器２１を取り除いて、その下の容器２１に載せてある物品を取り出すことができ、常に一定位置（高さ）で容器２１に物品Ａを載せたり、容器２１から物品Ａを取り出したりすることができ、載せ作業、取り出し作業がし易くなる。
【産業上の利用可能性】
【００２６】
本発明の昇降式載置台１は、機械部品、電気部品等の他にも、ホテルの厨房での皿置台、デパートでの商品陳列や搬送などにも利用することができる。
【符号の説明】
【００２７】
１      昇降式載置台
２      ベース
２ａ    （ベースの）一方の側板
２ｂ    （ベースの）他方の側板
２ｃ    （ベースの）前方板
２ｄ    （ベースの）後方板
３      支柱
３ａ    （支柱の）上端部
４      スプリング
５      支持体
６      受体
６ａ    （受体の）挿通孔
７      保持柱
８      （ベースの）開口部
９      キャスター
１０    支柱支持具
１１    保持柱支持具
１２    （支持体の）貫通孔１２
１３    （支持体の）基板
１３ａ、１３ｂ、１３ｃ    分割板
１４    保持具
１５    （保持具の）ケース
１６    （保持具のケースの）ネジ孔
１７    ネジ軸
１８    ボール
１９    （容器の）底板
２０    （容器の）側板
２１    容器（トレー）
Ａ      物品
【図１】
2017086131.tif 000003
【図２】
2017086131.tif 000004
【図３】
2017086131.tif 000005
【図４】
2017086131.tif 000006
【図５】
2017086131.tif 000007